(57)【要約】      （修正有）【課題】薄膜トランジスタ（TFT）アセンブリの漏出に対する耐久性を高め、アセンブリの漏出の影響によってパネルが微かに発光してコントラストを低下させることを抑制する有機ＥＬディスプレイのデータドライバの黒画面電圧の補償方法を提供する。【解決手段】有機ＥＬディスプレイのデータドライバの黒画面電圧の補償方法において、最高階調電圧、最低階調電圧、および前記最高階調電圧と最低階調電圧の間に位置する少なくとも一つの階調電圧を少なくとも含むいくつかの設定点電圧を与えるステップと、前記設定点電圧に基づいてデータドライバの電圧曲線を確立するステップと、前記最高階調電圧の設定を前記電圧曲線から独立させるステップと、前記最高階調電圧を単独で引き上げるステップとを含む。単独で黒画面電圧を与えることによって、黒画面電圧を独立させて調整し、回路操作の範囲を拡大し、かつ他のグレースケール電圧の設定に影響を与えない。【選択図】なし【特許請求の範囲】
【請求項１】
最高階調電圧と、最低階調電圧と、前記最高階調電圧と最低階調電圧との間に位置する少なくとも一つの階調電圧とを少なくとも含む、複数の設定点電圧を提供するステップと、
前記設定点電圧に基づいてデータドライバの電圧曲線を確立するステップと、
前記最高階調電圧の設定を前記電圧曲線から独立させるステップと、
前記最高階調電圧を単独で引き上げるステップと
を含むことを特徴とする、有機ＥＬディスプレイのデータドライバの黒画面電圧の補償方法。
【請求項２】
前記最高階調電圧に給電する独立した電圧源を提供するステップによって、前記最高階調電圧の設定を前記電圧曲線から独立させることを特徴とする、請求項１に記載の有機ＥＬディスプレイのデータドライバの黒画面電圧の補償方法。
【請求項３】
前記最高階調電圧の次の階調電圧に対して独立の設定点を追加するステップによって、前記最高階調電圧の設定を前記電圧曲線から独立させることを特徴とする、請求項１に記載の有機ＥＬディスプレイのデータドライバの黒画面電圧の補償方法。
【請求項４】
第２電圧源から給電される最高階調電圧と、第１電圧源から給電される最低階調電圧と、および前記最高階調電圧と最低階調電圧との間に位置し第１電圧源から給電される少なくとも一つの階調電圧とを少なくとも含む複数の設定点電圧を提供するステップと、
前記設定点電圧に基づいてデータドライバの電圧曲線を確立するステップと、
前記最高階調電圧を引き上げるステップと
を含むことを特徴とする、有機ＥＬディスプレイのデータドライバの黒画面電圧の補償方法。
【発明の詳細な説明】
【技術分野】
【０００１】
本発明は有機ＥＬディスプレイの分野に関し、特に有機ＥＬディスプレイのデータドライバの黒画面電圧の補償方法に関する。
【背景技術】
【０００２】
従来の有機ＥＬディスプレイには、主にタイミングコントローラー(timingcontroller)、データドライバ(datadriver)、スキャンドライバ(scandriver)、エミッションコントロールラインドライバ(emission control line driver)が含まれる。また、データドライバの電圧(Gamma)設定には、一般的にいずれもＬＣＤと同じ方法を採用しており、すなわち、黒画面のデータ電圧と次の階調のデータ電圧との差はおよそ１０ｍＶに過ぎず、画素の蓄電容量が漏電によって電圧低下を引き起こしただけで、パネルが発光しやすくなって黒画面の耀度に影響し、コントラストを低下させてしまう。
【０００３】
図１は従来の有機ＥＬディスプレイ製品である２Ｔ１Ｃ画素の設計の模式図であり、図２はそのデータドライバの電圧曲線であり、図３はデータドライバ回路の模式図であり、電圧源３によりデータドライバの電圧が提供される。データドライバの電圧曲線を確立する場合、いくつかの設定点電圧を与えることによってデータドライバの電圧曲線の傾斜度を決定する。図２と図３に示すように、白画面の０階調を最低階調として、黒画面の２５５階調を最高階調とするとともに、白画面の０階調と黒画面の２５５階調の間から、さらに６３階調、１２７階調、１９１階調を取り出し、０、１、２、３、４という計５つの設定点を構成する。０階調，６３階調，１２７階調，１９１階調および２５５階調を含む５つのグレースケール設定点の設定点電圧をそれぞれ与えることで、データドライバの電圧曲線２０を確定するとともに、各設定点電圧の取得値を調整することによって当該電圧曲線２０を調整する。しかしながら、この方法では、単独で黒画面の255階調電圧を引き上げることができず、次の階調である２４５階調電圧も共に引き上げられてしまうため、画面の表示に影響を与えてしまう。また、黒画面の２５５階調電圧と次の階調である２５４階調電圧との差はとても小さく、黒画面の２５５階調のデータドライバ（data）の電圧をキャパシタ２１に蓄えると、スキャンドライバ(scan driver)の薄膜トランジスタ（TFT）２２が閉となるが、キャパシタ２１の電圧については、スキャンドライバ(scan driver)の薄膜トランジスタ（TFT）２２の漏出によってキャパシタ２１の電圧が低下してしまう。キャパシタ２１の電圧低下は、データドライバの薄膜トランジスタ（DTFT）２３のＶｇｓ電圧（ＶｇｓはＭＯＳＦＥＴのゲートとソースとの間の電圧である）を上昇させ、本来閉状態にあるべきデータドライバの薄膜トランジスタ（DTFT）２３が次第に開くことでIOLED電流が発生し、有機発光ダイオード（OLED）２４のパネルを発光させ、これにより有機発光ダイオード（OLED）２４のパネルの画面表示の品質とコントラストを低下させてしまう。
【発明の概要】
【発明が解決しようとする課題】
【０００４】
本発明が解決しようとする技術的課題は、黒画面電圧を独立させて調整を行うことが可能で、他のグレースケール電圧の設定に影響を与えない有機ＥＬディスプレイのデータドライバの黒画面電圧の補償方法を提供することである。
【課題を解決するための手段】
【０００５】
上述した技術的効果を実現するために、本発明は有機ＥＬディスプレイのデータドライバの黒画面電圧の補償方法を公開しており、当該補償方法は、最高階調電圧、最低階調電圧および前記最高階調電圧と最低階調電圧の間に位置する少なくとも一つの階調電圧を少なくとも含む複数の設定点電圧を与えるステップと、前記設定点電圧に基づいてデータドライバの電圧曲線を確立するステップと、前記最高階調電圧の設定を前記電圧曲線から独立させるステップと、前記最高階調電圧を単独で引き上げるステップとを含む。
【０００６】
本発明のさらなる改善において、前記最高階調電圧に給電する独立した電圧源を提供するステップによって、前記最高階調電圧の設定を前記電圧曲線から独立させる。
【０００７】
本発明のさらなる改善において、前記最高階調電圧の次の階調電圧に対して独立した設定点を追加するステップによって、前記最高階調電圧の設定を前記電圧曲線から独立させる。
【０００８】
本発明はさらに、有機ＥＬディスプレイのデータドライバの黒画面電圧の補償方法を公開しており、当該補償方法は、第2電圧源から給電される最高階調電圧、第1電圧源から給電される最低階調電圧および前記最高階調電圧と最低階調電圧の間に位置し第1電圧源から給電される少なくとも一つの階調電圧を少なくとも含む複数の設定点電圧を提供するステップと、前記設定点電圧に基づいてデータドライバの電圧曲線を確立するステップと、前記最高階調電圧を引き上げるステップとを含む。
【発明の効果】
【０００９】
本発明は、以上の技術方案を採用することによって、以下のような有益な効果を有する。黒画面電圧へ給電する独立した電圧源の提供、または黒画面電圧の次の階調電圧に対して独立した設定点を追加することによって、黒画面電圧を電圧曲線から独立させ、単独での調整を行うことで、回路操作の範囲を拡大し、かつ他のグレースケール電圧の設定に影響を与えない。当該独立した黒画面電圧を引き上げることによって、その次のグレースケール電圧との差を大きくすることができ、薄膜トランジスタ（TFT）アセンブリの漏出に対する耐久性を増加させることで、薄膜トランジスタ（TFT）アセンブリの漏出の影響によってパネルが微かに発光しコントラストに影響するという問題を抑制することができる。
【図面の簡単な説明】
【００１０】
【図１】従来の有機ＥＬディスプレイ製品である２Ｔ１Ｃ画素の設計の模式図である。
【図２】従来の有機ＥＬディスプレイのデータドライバの電圧曲線図である。
【図３】図２におけるデータドライバ回路の模式図である。
【図４】本発明の有機ＥＬディスプレイのデータドライバの黒画面電圧の補償方法における、第１の実施形態での電圧補償の曲線図である。
【図５】本発明の有機ＥＬディスプレイのデータドライバの黒画面電圧の補償方法における、第１の実施形態での電圧補償回路の模式図である。
【図６】本発明の有機ＥＬディスプレイのデータドライバの黒画面電圧の補償方法における、第２の実施形態での電圧補償の曲線図である。
【図７】本発明の有機ＥＬディスプレイのデータドライバの黒画面電圧の補償方法における、第２の実施形態での電圧補償回路の模式図である。
【発明を実施するための形態】
【００１１】
以下、図面および具体的な実施形態を参照に、本発明についてさらに詳細に説明する。
【００１２】
まず、図４に示すように、本発明は有機ＥＬディスプレイのデータドライバの黒画面電圧の補償方法を公開しており、以下のステップを含む。まず、複数の設定点電圧を与える。複数の設定点電圧には、設定点グレースケールの０階調、６３階調、１２７階調、１９１階調および２５５階調の電圧が含まれ、すなわち、最高階調電圧の２５５階調電圧、最低階調電圧の０階調電圧、並びに最高階調電圧の２５５階調電圧と最低階調電圧の０階調電圧との間の６３階調電圧、１２７階調電圧および１９１階調電圧が含まれる。
【００１３】
そして、前記設定点電圧に基づいてデータドライバの電圧曲線１０を確立する。
【００１４】
次に、最高階調電圧の２５５階調電圧の設定を電圧曲線１０から独立させ、２５５階調電圧を調整する場合、他のグレースケール電圧に影響を与えないようにする。
【００１５】
最後に、単独で最高階調電圧の２５５階調電圧を引き上げ、薄膜トランジスタ（TFT）アセンブリの漏出に対する耐久性を高め、薄膜トランジスタ（TFT）アセンブリの漏出の影響により画面が微かに発光してコントラストに影響するという問題を防ぐ。
【００１６】
図４と図５に示すように、本発明の第１の好ましい実施形態として、最高階調の２５５階調電圧に給電する独立した第２電圧源２を提供し、最高階調の２５５階調電圧の設定を電圧曲線１０から独立させ、他の最高階調の２５５階調電圧以外のグレースケール電圧には第１電圧源１より給電する。最高階調の２５５階調電圧の調整が必要な場合、第２電圧源２を介して調整を行うため、他のグレースケールの電圧には影響を与えない。
【００１７】
本発明の第２の実施形態として、図６と図７に示すように、最高階調の２５５階調電圧の次の階調の２５４階調電圧に対して、独立した設定点を追加し、６個の設定点を形成し、次の階調の２５４階調が独立した設定点電圧を備えるようにする。次の階調の２５４階調電圧設定の際、２５５階調電圧を調整しても、他のグレースケール０〜２５４階調の電圧には影響せず、これにより２５５階調電圧の設定を電圧曲線１０から独立させる。
【００１８】
本発明の有機ＥＬディスプレイのデータドライバの黒画面電圧の補償方法は、黒画面電圧へ給電する独立した電圧源の提供、または黒画面電圧の次の階調電圧に対して独立した設定点を追加することによって、黒画面電圧を電圧曲線から独立させ、単独での調整を行うことで、回路操作の範囲を拡大し、かつ他のグレースケール電圧の設定には影響を与えない。当該独立した黒画面電圧設定によって、次のグレースケール電圧との差を大きくすることができ、薄膜トランジスタ（TFT）アセンブリの漏出に対する耐久性を高め、アセンブリの漏出の影響によってパネルが微かに発光してコントラストに影響するという問題を抑制することができる。
【００１９】
以上、図面と実施形態を参照して本発明について詳細な説明を行ったが、当業者であれば、上述した説明に基づいて、本発明に対し様々な変更例を実施することが可能である。したがって、実施形態における細部の説明は、本発明を限定するものではなく、本発明は特許請求の範囲で定義されている範囲を本発明の保護範囲とする。
【符号の説明】
【００２０】
１  第１電圧源
２  第２電圧源
３  電圧源
２１  キャパシタ
２２  薄膜トランジスタ（TFT）
２３  薄膜トランジスタ（DTFT）
２４  パネル
１０  電圧曲線
２０  電圧曲線
【図１】
2015230483.tif 000002
【図２】
2015230483.tif 000003
【図３】
2015230483.tif 000004
【図４】
2015230483.tif 000005
【図５】
2015230483.tif 000006
【図６】
2015230483.tif 000007
【図７】
2015230483.tif 000008